(57)【要約】【課題】  清掃局の生ごみとしての処理条件をクリアし、電子レンジの過熱にも対応する食品収納容器、及びその食品収納容器を成型する成形加工原紙を提供すること。【解決手段】  片面にポリエチレン樹脂の含有量が３％ないし５％のポリエチレン樹脂をコーティングした成形加工原紙を打ち抜き、一枚の板紙５を、凹凸一対のプレス金型でプレス成形して、一枚の板紙5の淵部に鍔部４を成形した蓋体１と、上記一枚の板紙と異なる他の板紙を上記蓋体と同じ製造方法で製造し、底部16、立ち上がり部15、鍔部14とにより形成され、上記蓋体1に補形的な形状した容器本体11とからなる食品収納容器。【選択図】      図７
2006045682.tif 000002
【特許請求の範囲】
【請求項１】
片面にポリエチレン樹脂をコーティングした成形加工原紙において、上記ポリエチレン樹脂の含有量が３％ないし５％にしたことを特徴とする成形加工原紙。
【請求項２】
請求項１記載の成形加工原紙において、上記ポリエチレン樹脂が低密度に含有した成形加工原紙であることを特徴とする成形加工原紙。
【請求項３】
請求項１または２の成形加工原紙の片面にポリエチレン樹脂をコーティングし、その原紙を打ち抜き、一枚の板紙に、凹凸一対のプレス金型でプレス成形してなる鍔部を形成した食品収納容器の製造方法。
【請求項４】
請求項１または２の成形加工原紙を打ち抜き、一枚の板紙を、凹凸一対のプレス金型でプレス成形して、蓋体本体と、鍔部とを成形した蓋体と、上記一枚の板紙と異なる他の板紙を上記蓋体と同じ製造方法で成形し、底部、立ち上がり部、鍔部とにより形成された、上記蓋体に補形的な形状をした容器本体とからなる食品収納容器。
【請求項５】
請求項４記載の食品収納容器において、上記蓋体の上記蓋体本体とこの蓋体本体につながる上記鍔部とのなす角度を、及び上記容器本体の底部と立ちあがり部との角度をかぎりなく直角に近く湾曲させた食品収納容器。
【請求項６】
請求項４または５記載の食品収納容器において、上記蓋体と、上記容器本体とを開放部を互いに重ね合わせた状態で、上記蓋体と、上記容器本体とが開披しないように紙製の無端状の帯体で結束することを特徴とする食品収納容器。
【発明の詳細な説明】
【技術分野】
【０００１】
本発明は、成形加工原紙、及びそれを用いた食品収納容器、及びその製造方法に関する。
【背景技術】
【０００２】
特許文献１には、成形加工原紙と、この成形加工原紙の枚葉のブランクに凹凸一対のプレス金型でプレス成形して鍔部を形成された食品収納容器と、その食品収納容器を製造するの製造方法が開示されている。
【０００３】
従来、紙製の食品収納容器は、清掃局で廃棄物として処理したとき、次に示す条件を満たすことが要求されていた。  
東京都の清掃局の場合を挙げると、次のとおりである。  
1．燃やしたときに黒煙が出ないこと（燃やしたときに目視で黒煙がでないことにより判断）。  
2．ダイオキシンなどの有害物質が出ないもの。  
3．貼り合わせたものでフィルム性でないもの。  
4．目視で質感上プラスチックでないもの。  
上記特許文献１には、食品収納容器が上記に処理条件に合格しているか如何かの言及はされていない。  
紙製食品容器は、電子レンジで加熱に対応できるものであることが要求される。
【０００４】
この事についても、上記特許文献１には、食品収納容器が満足されているか如何かの言及はされていない。
【０００５】
【特許文献１】特開２００２−２２５１５６
【発明の開示】
【発明が解決しようとする課題】
【０００６】
特許文献１に記載されている従来の食品収納容器を作成する成形加工原紙、及びそれを用いた食品収納容器は、生ごみとして処理された場合、清掃局の処理条件を満足されたものであることが要求されるが、満足されているか不明である。  
電子レンジの加熱にも対応しているか不明である。  
本発明は上記問題点に鑑みてなされたものであり、清掃局の生ごみとしての処理条件をクリアし、電子レンジの過熱にも対応する食品収納容器、及びその食品収納容器を成型する成形加工原紙を提供することを目的とする。
【課題を解決するための手段】
【０００７】
本発明は上記問題点を解決するためになされたものであり、請求項１に記載された発明は、片面にポリエチレン樹脂をコーティングした成形加工原紙において、上記ポリエチレン樹脂の含有量が３％ないし５％にしたことを特徴とする成形加工原紙にある。
【０００８】
請求項２の発明は、請求項１記載の成形加工原紙において、上記ポリエチレン樹脂が低密度に含有した成形加工原紙であることを特徴とする成形加工原紙にある。
【０００９】
請求項３の発明は、請求項１または２の成形加工原紙の片面にポリエチレン樹脂をコーティングし、その原紙を打ち抜き、一枚の板紙に、凹凸一対のプレス金型でプレス成形してなる鍔部を形成した食品収納容器の製造方法にある。
【００１０】
請求項４は、請求項１または２の成形加工原紙を打ち抜き、一枚の板紙を、凹凸一対のプレス金型でプレス成形して、蓋体本体と、鍔部とを成形した蓋体と、上記一枚の板紙と異なる他の板紙を上記蓋体と同じ製造方法で成形し、底部、立ち上がり部、鍔部とにより形成された、上記蓋体に補形的な形状をした容器本体とからなる食品収納容器にある。
【００１１】
請求項５は、請求項４記載の食品収納容器において、上記蓋体の上記蓋体本体とこの蓋体本体につながる上記鍔部とのなす角度を、及び上記容器本体の底部と立ちあがり部との角度をかぎりなく直角に近く湾曲させた食品収納容器にある。
【００１２】
請求項６は、請求項４または５記載の食品収納容器において、上記蓋体と、上記容器本体とを開放部を互いに重ね合わせた状態で、上記蓋体と、上記容器本体とが開披しないように紙製の無端状の帯体で結束することを特徴とする食品収納容器にある。
【発明の効果】
【００１３】
以上のように本発明によれば、成形加工原紙を成形して食品収納容器を使用すれば、清掃局で生ごみとしての処理条件に合致して処理できる。
【００１４】
低密度のポリエチレン樹脂をコーティングした成形加工原紙を成形した食品包装容器を電子レンジで加熱使用できる。安価の食品包装容器を提供できる。  
【発明を実施するための最良の形態】
【００１５】
以下、発明を実施するための最良の形態を、具体的な実施例により説明する。
【実施例】
【００１６】
以下本発明の一実施例を説明する。  
成形加工原紙の片面には、ポリエチレン樹脂がコーティングされている。  
このポリエチレン樹脂をコーティング手段は、ポリエチレン樹脂を刷毛などで塗布する手段または従来知られた噴霧器で噴霧する手段がある。  
紙にポリエチレン樹脂をコーティングしたものとしては、低密度のもの、中密度のもの、高密度のもの、超高密度のものがある。  
密度の違いによりコストが異なり、密度が高くなるほど高価になる。  
発明者は複数の成形加工原紙を例にとって、清掃局の処理基準をクリアできるかどうかを実験した。その結果、２種類の成形加工原紙がクリアした。
【００１７】
その２種類の成形加工原紙をＡ紙とＢ紙として、両紙のポリエチレン樹脂の含有率を次の１、２の方法による実験で求めた。
【００１８】
実験先は、東京都立産業技術研究所材料技術グループである。  
1.Ａ紙、Ｂ紙を剥がしてポリエチレン（ＰＥ）の重さを量る方法。  
（1）一部（2ｃｍ×2ｃｍ）を切り、取り重さを量る。  
（Ａ紙）0.1119ｇ
（Ｂ紙）0.1131ｇ
（2）エチレン（ＰＥ）より紙を剥がす（水でふやけさせるときれいに取れる。）
（3）リエチレン（ＰＥ）を乾燥させる。  
（4）リエチレン（ＰＥ）の重さを計る。  
（Ａ紙）0.0057ｇ    （紙）重さ（Ａ紙）0.1062ｇ
（Ｂ紙）0.0073ｇ    （紙）重さ（Ｂ紙）0.1058ｇ
（Ａ紙）0.0057÷0.1119＝5.09（％）含有率
（Ｂ紙）0.0073÷0.1131＝6.45（％）含有率
ただし、ポリエチレン（ＰＥ）に紙がこびりついて取り切れないと考えられるので含有率はこの値より小さい。  
2.Ａ紙、Ｂ紙のポリエチレン（ＰＥ）の融解熱を測った。  
（Ａ紙）と（Ｂ紙）のポリエチレン（ＰＥ）の示差走査熱量測定（ＤＳＣ）にかけて結晶の融解熱を測定すると  
（Ａ紙）692ｍＪ  
（Ｂ紙）911ｍＪ  
低密度の融解熱は140ＫＪ/ＫＪ
（Ａ紙）692÷140＝0.00494（Ｋｇ）
（Ｂ紙）911÷140＝0.00650（Ｋｇ）
（Ａ紙）0.00494÷0.1119＝4.4（％）含有率
（Ｂ紙）0.00650÷0.1131＝5.7（％）含有率
両実験結果は、ポリエチレン樹脂がコーティングされている成形加工原紙のポリエチレン樹脂の含有量は、３％ないし５％である。  
Ａ紙、Ｂ紙はいずれも低密度のポリエチレン樹脂をコーティングしたものであり、したがって、低価額のものである。  
Ａ紙またはＢ紙を使用した食品包装容器の１例として、図７に示す弁当箱１００を示す。弁当箱１００は蓋体１と容器本体１１とで構成されている。
【００１９】
Ａ紙またはＢ紙を使用して上記蓋体１、及び容器本体１１を製造する方法は、特許文献１に記載されている方法と同じであるので省略する。  
蓋体１の形状は、図１ないし３に示す、ＭＡＸ（最大）１１８ｍｍ×ＭＡＸ（最大）１６９ｍｍ×１０ｍｍ（縦×横×高さ、縦横共に鍔部の寸法を含む）の大きさである。蓋体本体５の周囲には鍔部４が成形されている。４角の最外周湾曲はＲ１＝１６．５ｍｍ、その内側の湾曲はＲ２＝１５ｍｍ、鍔部４と蓋体本体５との湾曲Ｒ４＝１．５である。紙厚ｔは、０．３５０ｍｍである。
【００２０】
容器本体１１の形状は、図４ないし６に示す、１１５ｍｍ×１６６ｍｍ×３０ｍｍ（縦×横×高さ、縦横共に鍔部の寸法を含む）の大きさである。周囲には鍔部１４が成形されている。鍔部１４は、断面Ｓ字状の一部に湾曲されている。４角の最外周湾曲はＲ１１＝１５ｍｍ、その内側の湾曲はＲ１２＝９ｍｍ、その内側の湾曲はＲ１３＝５ｍｍ、鍔部１４と立ちあがり部１５との湾曲Ｒ１４＝１．５ｍｍ、立ちあがり部１５と底部１６との湾曲Ｒ１５＝３ｍｍである。紙厚ｔは、０．３９５ｍｍである。
【００２１】
図７に示すように、容器本体１１の開放部と蓋体１の開放部とが合致するように蓋体１が容器本体１１に被され、その外側を紙製の無端状の帯体２０で結束する。
【００２２】
容器本体１１は、底部１６と立ちあがり部１５との湾曲は限りなく直角に近く成形されている。
【００２３】
蓋体１の鍔部４と蓋体本体５との湾曲は限りなく直角に近く成形されている。
【００２４】
弁当業界の自動標準ライス盛り器に、本発明の食品包装容器を使用すると、自動標準ライス盛り器のライスのサイズと食器の大きさとが合致して、内部でご飯の片寄りがなく見栄えがよい。
【００２５】
また、本発明の食品包装容器は、紙製の無端状の帯体２０で食品包装容器の外側を結束するから、保温保管箱に入れて使用すると、蓋体１の鍔部４が開いてしまうことがない。
【００２６】
容器本体１１と蓋体１とからなる食品包装容器を電子レンジで加熱した場合、１１０℃以下の加熱で、食品例えばご飯の加熱ができる。この食品は、ご飯、うどん、そば、ボイルしたアスパラガスなどの内部に油性を含まない食品がよい。
【００２７】
さらに、本発明の食品包装容器は、市販の温蔵庫にも十分適用できる。  
さらにまた、本発明の食品包装容器では、ご飯の長時間の保温に対して、ばたつきが生じることがない。  
【図面の簡単な説明】
【００２８】
【図１】本発明の蓋体の平面図である。
【図２】図１のＡ−Ａ線断面図である。
【図３】図１のＢ−Ｂ線断面図である。
【図４】本発明の容器本体の平面図である。
【図５】図４のＡ−Ａ線断面図である。
【図６】図４のＢ−Ｂ線断面図である。
【図７】本発明の食品包装容器の弁当箱の斜視図である。
【符号の説明】
【００２９】
１…蓋体
４…鍔部
５…蓋体本体
１１…容器本体
１４…鍔部
１５…立ちあがり部
１６…底部
２０…帯体
１００…弁当箱
【図１】
2006045682.tif 000003
【図２】
2006045682.tif 000004
【図３】
2006045682.tif 000005
【図４】
2006045682.tif 000006
【図５】
2006045682.tif 000007
【図６】
2006045682.tif 000008
【図７】
2006045682.tif 000009